(57)【要約】【課題】小型化を図り、かつ、風損を低減した空気調和機を提供する。【解決手段】第１ダクト１０と第２ダクト２０とは、上下に並列に配置されている。下側の第１ダクト１０において、第１ファン１５は、第１ファンモータ１６よりも、第１ダクト１０の第１吸込口１２から離れた位置にある。このため、第１ファン１５から吹き出される風の大部分は、仕切壁１３に当たらずに仕切壁１３を回避する。【選択図】図１
2012017941.tif 000002
【特許請求の範囲】
【請求項１】
ケーシング（１）内に、同一方向に指向した第１風通路（１０）と第２風通路（２０）とを並列に配置し、
上記第１風通路（１０）内に第１ファン（１５）を収容し、上記第２風通路（２０）内に第２ファン（２５）を収容し、
上記第１風通路（１０）の第１吹出口（１１）と上記第２風通路（２０）の第２吹出口（２１）とは、上記ケーシング（１）の一方に向いて開口しており、
上記第１風通路（１０）の第１吸込口（１２）と上記第２風通路（２０）の第２吸込口（２２）とは、上記ケーシング（１）の他の面に向いて開口し、上記第１吸込口（１２）に上記第１ファン（１５）が対向し、上記第２吸込口（２２）に上記第２ファン（２５）が対向し、
上記第１風通路（１０）の第１吹出口（１１）と上記第１ファン（１５）との距離は、上記第２風通路（２０）の第２吹出口（２１）と上記第２ファン（２５）との距離よりも、大きく、かつ、上記第１ファン（１５）と上記第２ファン（２５）とは、間隔をおいて配置されており、
上記第１風通路（１０）の上記第１吸込口（１２）から、順に、上記第１ファン（１５）を駆動する第１ファンモータ（１６）と、上記第１ファン（１５）とを配置し、
上記第１ファン（１５）と上記第２ファン（２５）との間には、上記第１風通路（１０）と上記第２風通路（２０）とを仕切る仕切壁（１３）を有することを特徴とする空気調和機。
【請求項２】
請求項１に記載の空気調和機において、
上記第２風通路（２０）の上記第２吸込口（２２）から、順に、上記第２ファン（２５）を駆動する第２ファンモータ（２６）と、上記第２ファン（２５）とを配置していることを特徴とする空気調和機。
【請求項３】
請求項１または２に記載の空気調和機において、
上記第１風通路（１０）の上記第１吸込口（１２）および上記第２風通路（２０）の上記第２吸込口（２２）の上流に、機能部材（３０）を配置していることを特徴とする空気調和機。
【発明の詳細な説明】
【技術分野】
【０００１】
この発明は、例えば、空気清浄機やファンコイルなどの空気調和機に関する。
【背景技術】
【０００２】
従来、空気調和機としては、図３に示すように、ケーシング１０１内に、同一方向に指向した第１ダクト１１０と第２ダクト１２０とを並列に配置しているものがある（特開２００８−３２３８７号公報：特許文献１参照）。
【０００３】
図３に示すように、上記第１ダクト１１０の第１吹出口１１１と上記第２ダクト１２０の第２吹出口１２１とは、上記ケーシング１０１の上方に向いて開口している。第１ダクト１１０の第１吸込口１１２と第２ダクト１２０の第２吸込口１２２とは、ケーシング１０１の前方に向いて開口している。
【０００４】
上記第１ダクト１１０内に、第１ファン１１５と、この第１ファン１１５を駆動する第１ファンモータ１１６とを収容している。上記第２ダクト１２０内に、第２ファン１２５と、この第２ファン１２５を駆動する第２ファンモータ１２６とを収容していた。第１吸込口１１２に第１ファン１１５が対向し、第２吸込口１２２に第２ファン１２５が対向している。
【０００５】
上記第１ダクト１１０の第１吹出口１１１と上記第１ファン１１５との距離は、上記第２ダクト１２０の第２吹出口１２１と上記第２ファン１２５との距離よりも、大きく、第１ファン１１５は、第２ファン１２５よりも下方に配置されている。
【０００６】
上記第１ダクト１１０の第１吸込口１１２から後方へ、順に、上記第１ファン１１５と上記第１ファンモータ１１６とを配置していた。上記第１ファン１１５と上記第２ファン１２５との間には、第１ファン１１５と第２ファン１２５とを仕切る仕切壁１１３を有している。
【０００７】
しかしながら、上記従来の空気調和機では、上記第１ファン１１５は、上記第１ファンモータ１１６よりも、第１ダクト１１０の第１吸込口１１２側に位置していたので、第１ファン１１５および第１ファンモータ１１６を、完全に、第１ダクト１１０内に収容する必要があり、第１ファンモータ１１６と第１ファン１１５との並び方向である前後方向の第１ダクト１１０の大きさを小さくすることができなかった。
【０００８】
また、上記第１ファン１１５は、第１ファンモータ１１６よりも、第１ダクト１１０の第１吸込口１１２に近い位置にあり、第１ファン１１５の軸直交方向における第１ファン１１５と仕切壁１１３との重なり部分が大きくなって、第１ファン１１５から吹き出される風の大部分が、仕切壁１１３に当たって、風損が大きくなっていた。
【先行技術文献】
【特許文献】
【０００９】
【特許文献１】特開２００８−３２３８７号公報
【発明の概要】
【発明が解決しようとする課題】
【００１０】
そこで、この発明の課題は、小型化を図り、かつ、風損を低減した空気調和機を提供することにある。
【課題を解決するための手段】
【００１１】
上記課題を解決するため、この発明の空気調和機は、
ケーシング内に、同一方向に指向した第１風通路と第２風通路とを並列に配置し、
上記第１風通路内に第１ファンを収容し、上記第２風通路内に第２ファンを収容し、
上記第１風通路の第１吹出口と上記第２風通路の第２吹出口とは、上記ケーシングの一方に向いて開口しており、
上記第１風通路の第１吸込口と上記第２風通路の第２吸込口とは、上記ケーシングの他の面に向いて開口し、上記第１吸込口に上記第１ファンが対向し、上記第２吸込口に上記第２ファンが対向し、
上記第１風通路の第１吹出口と上記第１ファンとの距離は、上記第２風通路の第２吹出口と上記第２ファンとの距離よりも、大きく、かつ、上記第１ファンと上記第２ファンとは、間隔をおいて配置されており、
上記第１風通路の上記第１吸込口から、順に、上記第１ファンを駆動する第１ファンモータと、上記第１ファンとを配置し、
上記第１ファンと上記第２ファンとの間には、上記第１風通路と上記第２風通路とを仕切る仕切壁を有することを特徴としている。
【００１２】
この発明の空気調和機によれば、上記第１ファンモータは、上記第１ファンよりも、上記第１風通路の上記第１吸込口側に位置するので、第１ファンモータを、第１風通路の外側あるいは第１吸込口に重なるように配置できて、第１ファンモータと第１ファンとの並び方向の第１風通路の大きさを小さくできる。
【００１３】
また、上記第１ファンは、上記第１ファンモータよりも、上記第１風通路の上記第１吸込口から離れた位置にあるので、第１ファンから吹き出される風が仕切壁に当たる量を低減できて、風損を低減できる。
【００１４】
また、一実施形態の空気調和機では、上記第２風通路の上記第２吸込口から、順に、上記第２ファンを駆動する第２ファンモータと、上記第２ファンとを配置している。
【００１５】
この実施形態の空気調和機によれば、上記第２ファンモータは、上記第２ファンよりも、上記第２風通路の上記第２吸込口側に位置するので、第２ファンモータを、第２風通路の外側あるいは第２吸込口に重なるように配置できて、第２ファンモータと第２ファンとの並び方向の第２風通路の大きさを一層小さくできる。
【００１６】
また、一実施形態の空気調和機では、上記第１風通路の上記第１吸込口および上記第２風通路の上記第２吸込口の上流に、機能部材を配置している。
【００１７】
この実施形態の空気調和機によれば、上記第１風通路の上記第１吸込口および上記第２風通路の上記第２吸込口の上流に、機能部材を配置しているので、第１風通路の大きさを小さくできる方向に機能部材を配置できる。このため、機能部材をケーシングに配置しても、有効にケーシングの小型化を図ることができる。
【発明の効果】
【００１８】
この発明の空気調和機によれば、上記第１、第２吹出口がケーシングの一方に開口し上記第１、第２吸込口がケーシングの他方に開口した第１、第２風通路を並列に配置し、上記第１風通路の上記第１吸込口から、順に、上記第１ファンモータと上記第１ファンとを配置しているので、小型化を図り、かつ、風損を低減できる。
【図面の簡単な説明】
【００１９】
【図１】本発明の空気調和機の一実施形態を示す簡略断面図である。
【図２】他の空気調和機を示す簡略断面図である。
【図３】従来の空気調和機を示す簡略断面図である。
【発明を実施するための形態】
【００２０】
以下、この発明を図示の実施の形態により詳細に説明する。
【００２１】
図１は、この発明の空気調和機の一実施形態である空気清浄機の簡略断面図を示している。図１に示すように、この空気清浄機は、ケーシング１と、このケーシング１内に配置された第１ダクト１０および第２ダクト２０とを有する。第１ダクト１０は、第１風通路１０を構成し、第２ダクト２０は、第２風通路２０を構成する。
【００２２】
上記第１ダクト１０と上記第２ダクト２０とは、並列に配置され、同一方向に指向している。第１ダクト１０は、第２ダクト２０の後方および下方に位置している。
【００２３】
上記第１ダクト１０と上記第２ダクト２０とは、一部分重なっており、この重なり部分は、共通の仕切部材１４を用いている。つまり、仕切部材１４は、第１風通路１０と第２風通路２０とを仕切る。
【００２４】
上記第１ダクト１０の第１吹出口１１と上記第２ダクト２０の第２吹出口２１とは、上記ケーシング１の上方（一方）に向いて開口している。第１ダクト１０の第１吸込口１２と第２ダクト２０の第２吸込口２２とは、ケーシング１の前面（他の面）に向いて開口している。
【００２５】
上記第１ダクト１０内に、第１ファン１５を収容している。上記第２ダクト２０内に、第２ファン２５を収容している。第１吸込口１２に第１ファン１５が対向し、第２吸込口２２に第２ファン２５が対向している。第１ファン１５および第２ファン２５は、例えば、シロッコファンやターボファンなどの遠心多翼ファンである。
【００２６】
上記第１ダクト１０の第１吹出口１１と上記第１ファン１５との距離は、上記第２ダクト２０の第２吹出口２１と上記第２ファン２５との距離よりも、大きい。第１ファン１５は、第２ファン２５の後方および下方に配置されている。第１ファン１５の軸と第２ファン２５の軸とは、平行に配置されている。第１ファン１５と第２ファン２５とは、互いに、軸方向に重ならないように、軸直交方向に間隔をおいて配置されている。
【００２７】
上記第１ダクト１０の第１吸込口１２から後方へ、順に、上記第１ファン１５を駆動する第１ファンモータ１６と、上記第１ファン１５とを配置している。上記第２ダクト２０の第２吸込口２２から後方へ、順に、上記第２ファン２５を駆動する第２ファンモータ２６と、上記第２ファン２５とを配置している。
【００２８】
上記第１ファン１５と上記第２ファン２５との間には、上記第１風通路１０と上記第２風通路２０とを仕切る仕切壁１３を有する。この仕切壁１３は、上記仕切部材１４の一部をなす。
【００２９】
上記仕切壁１３は、上記第１ファン１５の下流に位置する。仕切壁１３は、第１ダクト１０の第１吹出口１１側に向かって除々に通路を狭くするように、テーパ状に形成されている。
【００３０】
上記第１ダクト１０の第１吸込口１２および上記第２ダクト２０の第２吸込口２２の上流に、機能部材の一例としてのエアフィルタ３０が配置されている。エアフィルタ３０は、第１ダクト１０および第２ダクト２０の前方に位置している。
【００３１】
次に、上記構成の空気調和機の作用を説明する。
【００３２】
上記ケーシング１の上側に配置されている上記第２ファン２５の回転により、上記ケーシング１の前面からエアフィルタ３０を通過した風は、上記第２ダクト２０の第２吸込口２２から第２ダクト２０内に吸い込まれ、第２ダクト２０の第２吹出口２１から吹き出される。
【００３３】
また、上記ケーシング１の下側に配置されている上記第１ファン１５の回転により、上記ケーシング１の前面からエアフィルタ３０を通過した風は、上記第１ダクト１０の第１吸込口１２から第１ダクト１０内に吸い込まれ、第１ダクト１０の第１吹出口１１から吹き出される。
【００３４】
このとき、上記第１ファン１５は、第１ファンモータ１６よりも、第１ダクト１０の第１吸込口１２から離れた位置にあるので、第１ファン１５から吹き出される風の大部分は、仕切壁１３に当たらずに仕切壁１３を回避する。
【００３５】
つまり、上記第１ファン１５を、第１ファンモータ１６よりも、第１ダクト１０の第１吸込口１２から離れた後方位置に配置することで、第１ファン１５の軸直交方向における、第１ファン１５と仕切壁１３との重なり部分を、図３に示す従来の第１ファン１１５と仕切壁１１３との重なり部分よりも、格段に小さくすることができる。
【００３６】
したがって、上記第１ファン１５から吹き出される風が仕切壁１３に当たる量を低減できて、風損を低減できる。
【００３７】
なお、比較例として、図３に示す従来において風損を低減する場合、図３の仮想線に示すように、ケーシング１０１の後面１０１ａを後方へ広げ、第１ファン１１５を後方へずらして、第１ファン１１５の軸直交方向における第１ファン１１５と仕切壁１１３との重なり部分を小さくする必要があり、ケーシング１０１の前後方向の厚みが大きくなる問題がある。または、風損を低減するために、仕切壁１１３を第１ファン１１５から上方向に離す必要があり、ケーシング１０１の上下方向の高さが大きくなる問題がある。
【００３８】
また、上記構成の空気調和機によれば、上記第１ファンモータ１６は、上記第１ファン１５よりも、第１ダクト１０の第１吸込口１２側に位置するので、第１ファンモータ１６を、第１ダクト１０の外側あるいは第１吸込口１２に重なるように配置できて、第１ファンモータ１６と第１ファン１５との並び方向（前後方向）の第１ダクト１０の大きさを小さくできる。したがって、ケーシング１の前後方向の厚みを小さくできる。
【００３９】
また、上記第２ファンモータ２６は、上記第２ファン２５よりも、第２ダクト２０の第２吸込口２２側に位置するので、第２ファンモータ２６を、第２ダクト２０の外側あるいは第２吸込口２２に重なるように配置できて、第２ファンモータ２６と第２ファン２５との並び方向（前後方向）の第２ダクト２０の大きさを小さくできる。したがって、ケーシング１の前後方向の厚みを一層小さくできる。
【００４０】
また、上記第１ダクト１０の上記第１吸込口１２および上記第２ダクト２０の上記第２吸込口２２の上流に、上記エアフィルタ３０を配置しているので、第１ダクト１０の大きさを小さくできる方向（前後方向）にエアフィルタ３０を配置できる。このため、エアフィルタ３０をケーシング１に配置しても、有効にケーシング１の小型化を図ることができる。
【００４１】
なお、この発明は上述の実施形態に限定されない。例えば、第１風通路および第２風通路をダクト以外の仕切部材によって構成するようにしてもよい。また、第１風通路の第１吹出口と第２風通路の第２吹出口とを、ケーシングの上面以外の一面に向いて開口するようにしてもよい。また、第１風通路の第１吸込口と第２風通路の第２吸込口とを、ケーシングの前面以外の一面に向いて開口するようにしてもよい。
【００４２】
また、図２に示すように、第１、第２風通路１０，２０からケーシング１の外側に空気を吹き出すためのケーシング１の吹出口１ａを、図１のケーシング１の上面以外に、ケーシング１の前面に設けてもよい。
【００４３】
また、第２風通路の第２吸込口から、順に、第２ファンと第２ファンモータとを配置するようにしてもよい。また、第１風通路の第１吹出口および第２風通路の第２吹出口の下流に、エアフィルタを有するようにしてもよい。また、風通路を３つ以上設けてもよい。
【００４４】
また、空気調和機として、空気清浄機を例示して説明を行なったが、空気清浄機に限らず、除湿機、加湿機、冷房機、暖房機、あるいはこれらの機能を複数備えた装置など、空気調和機全般に適用が可能である。そして、空気調和機として冷房機や暖房機を用いた場合、機能部材として熱交換器を用いる。
【符号の説明】
【００４５】
１  ケーシング
１０  第１ダクト（第１風通路）
１１  第１吹出口
１２  第１吸込口
１３  仕切壁
１４  仕切部材
１５  第１ファン
１６  第１ファンモータ
２０  第２ダクト（第２風通路）
２１  第２吹出口
２２  第２吸込口
２５  第２ファン
２６  第２ファンモータ
３０  エアフィルタ（機能部材）
【図１】
2012017941.tif 000003
【図２】
2012017941.tif 000004
【図３】
2012017941.tif 000005